(57)【要約】【課題】本発明は防虫夜ライトを開示した。【解決手段】台座を含み、前記台座の上側には蓋装置が設置され、前記台座の中には除虫装置が設置され、前記蓋装置を開けると、同時に照明灯をつければ前記除虫装置を始動でき、前記照明灯が前記台座の上端面の中心に固定的に設置され、前記照明灯の外側には透明なガラスカバーが設置され、前記ガラスカバーの中には加熱チャンバが設置され、前記台座の上端面には前記加熱チャンバに連通した熱エネルギー転換器が固定的に設置され、前記熱エネルギー転換器によって熱エネルギーを電気エネルギーに転換でき、前記照明灯と前記ガラスカバーの外側には前記台座の上端面に固定された防虫カバーが設置される。【選択図】図１
2020174649.tif 000002
【特許請求の範囲】
【請求項１】
防虫夜ライトであって、台座を含み、前記台座の上側には蓋装置が設置され、前記台座の中には除虫装置が設置され、前記蓋装置を開けると、同時に照明灯をつければ前記除虫装置を始動でき、前記照明灯が前記台座の上端面の中心に固定的に設置され、前記照明灯の外側には透明なガラスカバーが設置され、前記ガラスカバーの中には加熱チャンバが設置され、前記台座の上端面には前記加熱チャンバに連通した熱エネルギー転換器が固定的に設置され、前記熱エネルギー転換器によって熱エネルギーを電気エネルギーに転換でき、前記照明灯と前記ガラスカバーの外側には前記台座の上端面に固定された防虫カバーが設置され、前記蓋装置には前記台座の上端面の前後左右の四端に設置され、且つ外に開口した折返しチャンバが含まれ、左右両側の前記折返しチャンバの中には駆動翻転板が翻転可能に設置され、前後両側の前記折返しチャンバの中には従動翻転板が翻転可能に設置され、前記駆動翻転板と前記従動翻転板のうち内側に近接している端面には一枚の漏洩防止網が固定的に設置され、前記駆動翻転板と前記従動翻転板の上端には上封じ板が固定的に設置され、左右両側の前記上封じ板の上端にはハンドルが固定的に設置され、
前記駆動翻転板を翻転すれば前記従動翻転板を連動させて同期的に翻転させることができ、前記漏洩防止網は虫を収集できることを特徴とする防虫夜ライト。
【請求項２】
前記駆動翻転板の下端が前後に貫通しており、且つ前記駆動翻転板の下端には駆動軸が固定的に設置され、前記従動翻転板の下端が左右に貫通しており、且つ前記従動翻転板の下端には従動軸が固定的に設置され、前記台座の中の四角のところには傘歯車チャンバが環状のように排列され、前記駆動軸の前後両端が前記傘歯車チャンバの中に伸びており、且つ前記駆動軸の前後両端には駆動傘歯車が固定的に設置され、前記従動軸の左右両端が前記傘歯車チャンバの中に伸びており、且つ前記従動軸の左右両端には前記駆動傘歯車と噛み合う従動傘歯車が固定的に設置され、左右両側の前記折返しチャンバの後側にはプーリチャンバが設置され、前記駆動軸が前記プーリチャンバを通り抜けており、且つ前記駆動軸には駆動プーリが固定的に設置され、前記駆動プーリの下側のうち中心に近接している側には従動プーリが設置され、前記駆動プーリと前記従動プーリとの間には駆動ベルトが周設され、前記従動プーリが前記除虫装置に連結され、
前記駆動翻転板が翻転しながら前記従動翻転板を翻転連動させ、同時に前記除虫装置を連動させて始動することを特徴とする請求項１に記載の防虫夜ライト。
【請求項３】
前記除虫装置は前記台座の中に設置される昇降チャンバを含み、前記熱エネルギー転換器の下端には動力軸が伝動可能に連結され、前記昇降チャンバの中には昇降板がスライド可能に設置され、前記昇降板の中にはスプライン軸が上下に貫通して回転可能に設置され、前記スプライン軸の中にはスプライン穴が上下に貫通して設置され、前記昇降チャンバの前後左右四側が止め板チャンバに連通し、前記止め板チャンバの中には前記昇降板に固定的に連結される止め板がスライド可能に設置され、前記止め板うち中心から離れている側の端面の中にはラックが固定的に設置され、左右両側の前記止め板チャンバのうち中心から離れている側には歯車チャンバが連通して設置され、前記歯車チャンバの中には前記ラックと噛み合う平歯車が回転可能に設置され、前記平歯車の後端には伝動軸が固定的に連結され、前記伝動軸の後端が前記従動プーリに固定的に連結され、
左右側の前記止め板が上昇して前記昇降板と前後側の前記止め板とを上昇連動させ、この時前記動力軸は前記スプライン穴の中に伸びることができることを特徴とする請求項１に記載の防虫夜ライト。
【請求項４】
前記昇降チャンバの下側には環状を呈する貯蔵チャンバが設置され、前記貯蔵チャンバの下側にはファンチャンバが連通するように設置され、前記貯蔵チャンバと前記ファンチャンバとの間には通気網が固定的に設置され、前記通気網には除虫剤が置かれており、前記ファンチャンバの中にはファンが回転可能に設置され、前記ファンには上端が前記スプライン穴の中に伸びている回転軸が固定的に設置され、前記ファンチャンバの下側内壁の前後左右四端には通気チャンバが連通するように設置され、前記止め板の下端が前記通気チャンバの中に伸びており、前記通気チャンバのうち中心から離れている側には前記折返しチャンバに連通した落下チャンバが連通して設置され、前記落下チャンバの下側には収集チャンバが連通して設置され、
除虫剤の匂いがする空気は前記通気チャンバと前記ラックチャンバから外部に流れて虫を殺し、死亡した虫が前記落下チャンバを通して前記収集チャンバの中に落下することを特徴とする請求項３に記載の防虫夜ライト。
【発明の詳細な説明】
【技術分野】
【０００１】
本発明は生活用品分野に関し、具体的には防虫夜ライトである。
【背景技術】
【０００２】
屋外で活動する時、光の照明が必要であるが、光に吸い寄せられて飛んでくる虫もあり、不快感を起こし、照明にも影響を及ぼし；それに対して現有の防虫ライトには照明機能が備わっておらず、そのため、虫を吸引して殺す同時に電球が生じる熱エネルギーを利用して殺された虫を回収して処分することに便利を与えられる防虫夜ライトは実に必要とされている。
【先行技術文献】
【特許文献】
【０００３】
【特許文献１】中国特許出願公開第１０３７７８８７１号明細書
【発明の概要】
【発明が解決しようとする課題】
【０００４】
本発明の目的は防虫夜ライトを提供し、上記背景技術に提出される問題を解決する。
【課題を解決するための手段】
【０００５】
本発明の防虫夜ライトは、台座を含み、前記台座の上側には蓋装置が設置され、前記台座の中には除虫装置が設置され、前記蓋装置を開けると、同時に照明灯をつければ前記除虫装置を始動でき、前記照明灯が前記台座の上端面の中心に固定的に設置され、前記照明灯の外側には透明なガラスカバーが設置され、前記ガラスカバーの中には加熱チャンバが設置され、前記台座の上端面には前記加熱チャンバに連通した熱エネルギー転換器が固定的に設置され、前記熱エネルギー転換器によって熱エネルギーを電気エネルギーに転換でき、前記照明灯と前記ガラスカバーの外側には前記台座の上端面に固定された防虫カバーが設置され、前記蓋装置には前記台座の上端面の前後左右の四端に設置され、且つ外に開口した折返しチャンバが含まれ、左右両側の前記折返しチャンバの中には駆動翻転板が翻転可能に設置され、前後両側の前記折返しチャンバの中には従動翻転板が翻転可能に設置され、前記駆動翻転板と前記従動翻転板のうち内側に近接している端面には一枚の漏洩防止網が固定的に設置され、前記駆動翻転板と前記従動翻転板の上端には上封じ板が固定的に設置され、左右両側の前記上封じ板の上端にはハンドルが固定的に設置され、
前記駆動翻転板を翻転すれば前記従動翻転板を連動させて同期的に翻転させることができ、前記漏洩防止網は虫を収集できる。
【０００６】
更なる技術方案、前記駆動翻転板の下端が前後に貫通しており、且つ前記駆動翻転板の下端には駆動軸が固定的に設置され、前記従動翻転板の下端が左右に貫通しており、且つ前記従動翻転板の下端には従動軸が固定的に設置され、前記台座の中の四角のところには傘歯車チャンバが環状のように排列され、前記駆動軸の前後両端が前記傘歯車チャンバの中に伸びており、且つ前記駆動軸の前後両端には駆動傘歯車が固定的に設置され、前記従動軸の左右両端が前記傘歯車チャンバの中に伸びており、且つ前記従動軸の左右両端には前記駆動傘歯車と噛み合う従動傘歯車が固定的に設置され、左右両側の前記折返しチャンバの後側にはプーリチャンバが設置され、前記駆動軸が前記プーリチャンバを通り抜けており、且つ前記駆動軸には駆動プーリが固定的に設置され、前記駆動プーリの下側のうち中心に近接している側には従動プーリが設置され、前記駆動プーリと前記従動プーリとの間には駆動ベルトが周設され、前記従動プーリが前記除虫装置に連結され、
前記駆動翻転板が翻転しながら前記従動翻転板を翻転連動させ、同時に前記除虫装置を連動させて始動する。
【０００７】
更なる技術方案、前記除虫装置は前記台座の中に設置される昇降チャンバを含み、前記熱エネルギー転換器の下端には動力軸が伝動可能に連結され、前記昇降チャンバの中には昇降板がスライド可能に設置され、前記昇降板の中にはスプライン軸が上下に貫通して回転可能に設置され、前記スプライン軸の中にはスプライン穴が上下に貫通して設置され、前記昇降チャンバの前後左右四側が止め板チャンバに連通し、前記止め板チャンバの中には前記昇降板に固定的に連結される止め板がスライド可能に設置され、前記止め板うち中心から離れている側の端面の中にはラックが固定的に設置され、左右両側の前記止め板チャンバのうち中心から離れている側には歯車チャンバが連通して設置され、前記歯車チャンバの中には前記ラックと噛み合う平歯車が回転可能に設置され、前記平歯車の後端には伝動軸が固定的に連結され、前記伝動軸の後端が前記従動プーリに固定的に連結され、
左右側の前記止め板が上昇して前記昇降板と前後側の前記止め板とを上昇連動させ、この時前記動力軸は前記スプライン穴の中に伸びることができる；
【０００８】
前記昇降チャンバの下側には環状を呈する貯蔵チャンバが設置され、前記貯蔵チャンバの下側にはファンチャンバが連通するように設置され、前記貯蔵チャンバと前記ファンチャンバとの間には通気網が固定的に設置され、前記通気網には除虫剤が置かれており、前記ファンチャンバの中にはファンが回転可能に設置され、前記ファンには上端が前記スプライン穴の中に伸びている回転軸が固定的に設置され、前記ファンチャンバの下側内壁の前後左右四端には通気チャンバが連通するように設置され、前記止め板の下端が前記通気チャンバの中に伸びており、前記通気チャンバのうち中心から離れている側には前記折返しチャンバに連通した落下チャンバが連通して設置され、前記落下チャンバの下側には収集チャンバが連通して設置され、
除虫剤の匂いがする空気は前記通気チャンバと前記ラックチャンバから外部に流れて虫を殺し、死亡した虫が前記落下チャンバを通して前記収集チャンバの中に落下する。
【発明の効果】
【０００９】
本発明の有益効果は：本発明は構造が簡単で、操作が便利で、本装置は照明する同時に虫を殺し、発光する時に生じた熱エネルギーを活かし、虫を収集でき、処理に便利を与える。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の防虫夜ライトの内部全体構成模式図であり；
【図２】図２は本発明の図１におけるＡ―Ａ方向の構成図である；
【図３】図３は本発明の図１におけるＢ―Ｂ方向の構成図である；
【図４】図４は本発明の図１におけるＣ―Ｃ方向の構成図である。
【図５】図５は本発明の図１におけるＤの拡大略図である。
【発明を実施するための形態】
【００１２】
以下に図１−５を交えて本発明について詳しく説明し、便利に叙述するため、現在は後文に出る方位を下記の通りに規定する：後文に出る上下左右前後方向は図１本体の投影関係の上下左右前後方向と一致する。
【００１３】
図１−５を参照し、本発明の実施例における防虫夜ライトは：台座１１を含み、前記台座１１の上側には蓋装置１０１が設置され、前記台座１１の中には除虫装置１０２が設置され、前記蓋装置１０１を開けると、同時に照明灯１２をつければ前記除虫装置１０２を始動でき、前記照明灯１２が前記台座１１の上端面の中心に固定的に設置され、前記照明灯１２の外側には透明なガラスカバー１３が設置され、前記ガラスカバー１３の中には加熱チャンバ１４が設置され、前記台座１１の上端面には前記加熱チャンバ１４に連通した熱エネルギー転換器１５が固定的に設置され、前記熱エネルギー転換器１５によって熱エネルギーを電気エネルギーに転換でき、前記照明灯１２と前記ガラスカバー１３の外側には前記台座１１の上端面に固定された防虫カバー１６が設置され、前記蓋装置１０１には前記台座１１の上端面の前後左右の四端に設置され、且つ外に開口した折返しチャンバ１７が含まれ、左右両側の前記折返しチャンバ１７の中には駆動翻転板１８が翻転可能に設置され、前後両側の前記折返しチャンバ１７の中には従動翻転板１９が翻転可能に設置され、前記駆動翻転板１８と前記従動翻転板１９のうち内側に近接している端面には一枚の漏洩防止網２５が固定的に設置され、前記駆動翻転板１８と前記従動翻転板１９の上端には上封じ板２６が固定的に設置され、左右両側の前記上封じ板２６の上端にはハンドル２７が固定的に設置され、
前記駆動翻転板１８を翻転すれば前記従動翻転板１９を連動させて同期的に翻転させることができ、前記漏洩防止網２５は虫を収集できる。
【００１４】
有益的には、前記駆動翻転板１８の下端が前後に貫通しており、且つ前記駆動翻転板１８の下端には駆動軸２０が固定的に設置され、前記従動翻転板１９の下端が左右に貫通しており、且つ前記従動翻転板１９の下端には従動軸２１が固定的に設置され、前記台座１１の中の四角のところには傘歯車チャンバ２２が環状のように排列され、前記駆動軸２０の前後両端が前記傘歯車チャンバ２２の中に伸びており、且つ前記駆動軸２０の前後両端には駆動傘歯車２３が固定的に設置され、前記従動軸２１の左右両端が前記傘歯車チャンバ２２の中に伸びており、且つ前記従動軸２１の左右両端には前記駆動傘歯車２３と噛み合う従動傘歯車２４が固定的に設置され、左右両側の前記折返しチャンバ１７の後側にはプーリチャンバ２８が設置され、前記駆動軸２０が前記プーリチャンバ２８を通り抜けており、且つ前記駆動軸２０には駆動プーリ２９が固定的に設置され、前記駆動プーリ２９の下側のうち中心に近接している側には従動プーリ３０が設置され、前記駆動プーリ２９と前記従動プーリ３０との間には駆動ベルト３１が周設され、前記従動プーリ３０が前記除虫装置１０２に連結され、
前記駆動翻転板１８が翻転しながら前記従動翻転板１９を翻転連動させ、同時に前記除虫装置１０２を連動させて始動する。
【００１５】
有益的には、前記除虫装置１０２は前記台座１１の中に設置される昇降チャンバ３２を含み、前記熱エネルギー転換器１５の下端には動力軸３３が伝動可能に連結され、前記昇降チャンバ３２の中には昇降板３４がスライド可能に設置され、前記昇降板３４の中にはスプライン軸３５が上下に貫通して回転可能に設置され、前記スプライン軸３５の中にはスプライン穴３６が上下に貫通して設置され、前記昇降チャンバ３２の前後左右四側が止め板チャンバ３７に連通し、前記止め板チャンバ３７の中には前記昇降板３４に固定的に連結される止め板３８がスライド可能に設置され、前記止め板３８うち中心から離れている側の端面の中にはラック３９が固定的に設置され、左右両側の前記止め板チャンバ３７のうち中心から離れている側には歯車チャンバ４０が連通して設置され、前記歯車チャンバ４０の中には前記ラック３９と噛み合う平歯車４１が回転可能に設置され、前記平歯車４１の後端には伝動軸４２が固定的に連結され、前記伝動軸４２の後端が前記従動プーリ３０に固定的に連結され、
左右側の前記止め板３８が上昇して前記昇降板３４と前後側の前記止め板３８とを上昇連動させ、この時前記動力軸３３は前記スプライン穴３６の中に伸びることができる。
【００１６】
有益的には、前記昇降チャンバ３２の下側には環状を呈する貯蔵チャンバ４３が設置され、前記貯蔵チャンバ４３の下側にはファンチャンバ４５が連通するように設置され、前記貯蔵チャンバ４３と前記ファンチャンバ４５との間には通気網４４が固定的に設置され、前記通気網４４には除虫剤が置かれており、前記ファンチャンバ４５の中にはファン４６が回転可能に設置され、前記ファン４６には上端が前記スプライン穴３６の中に伸びている回転軸４７が固定的に設置され、前記ファンチャンバ４５の下側内壁の前後左右四端には通気チャンバ４８が連通するように設置され、前記止め板３８の下端が前記通気チャンバ４８の中に伸びており、前記通気チャンバ４８のうち中心から離れている側には前記折返しチャンバ１７に連通した落下チャンバ４９が連通して設置され、前記落下チャンバ４９の下側には収集チャンバ５０が連通して設置され、
除虫剤の匂いがする空気は前記通気チャンバ４８と前記ラックチャンバ４９から外部に流れて虫を殺し、死亡した虫が前記落下チャンバ４９を通して前記収集チャンバ５０の中に落下する。
【００１７】
初期状態の時、駆動翻転板１８と上封じ板２６が防虫カバー１６を封じ、昇降板３４が下限位置にあり、動力軸３３がスプライン穴３６の中まで伸びておらず、止め板３８が通気チャンバ４８を封じている。
【００１８】
照明また除虫する時、ハンドル２７を手で握って左右両側の上封じ板２６と駆動翻転板１８を連動させて両側に翻転して水平状態にならせ、駆動軸２０が駆動プーリ２９と駆動傘歯車２３とを回転連動させ、駆動傘歯車２３が歯車の噛合によって従動傘歯車２４を回転連動させ、従動軸２１を通じて従動翻転板１９と前後側の上封じ板２６を連動させて外に翻転させ、この時漏洩防止網２５が平らに広がり、駆動プーリ２９が駆動ベルト３１によって従動プーリ３０を回転連動させ、駆動軸４２によって平歯車４１を回転連動させ、歯型の噛合によってラック３９を上昇連動させ、左右両側の止め板３８が昇降板３４と前後両側の止め板３８とを上昇連動させて通気チャンバ４８を開け、この時動力軸３３がスプライン軸３５とスプラインによって連結され、この時照明灯１２をつければ照明でき、生じた熱エネルギーは加熱チャンバ１４の中の気体によって熱エネルギー転換器１５の中に伝達されて運動エネルギーに転換して動力軸３３を回転連動させ、スプライン軸３５によって回転軸４７を回転連動させてファン４６を回転連動させ、貯蔵チャンバ４３の中の除虫剤が生じた毒気体を吸出し、装置の周囲に取らして防虫カバー１６に吸い寄せられた虫を殺し、死亡した虫が落下チャンバ４９を通して収集チャンバ５０又は漏洩防止網２５に落下し、本装置を移す時、ハンドル２７によって装置を復帰させ、漏洩防止網２５に落下した虫は収集チャンバ５０の中に落ちる。
【００１９】
本発明の有益効果は：本発明は構造が簡単で、操作が便利で、本装置は照明する同時に虫を殺し、発光する時に生じた熱エネルギーを活かし、虫を収集でき、処理に便利を与える。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020174649.tif 000003
【図２】
2020174649.tif 000004
【図３】
2020174649.tif 000005
【図４】
2020174649.tif 000006
【図５】
2020174649.tif 000007
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
防虫夜ライトであって、台座を含み、前記台座の上側には蓋装置が設置され、前記台座の
中には除虫装置が設置され、前記蓋装置を開けると同時に、照明灯をつければ前記除虫装
置を始動でき、前記照明灯が前記台座の上端面の中心に固定的に設置され、前記照明灯の
外側には透明なガラスカバーが設置され、前記ガラスカバーの中には加熱チャンバが設置
され、前記台座の上端面には前記加熱チャンバに連通した熱エネルギー転換器が固定的に
設置され、前記熱エネルギー転換器によって熱エネルギーを電気エネルギーに転換でき、
前記照明灯と前記ガラスカバーの外側には前記台座の上端面に固定された防虫カバーが設
置され、前記蓋装置には前記台座の上端面の前後左右の四端に設置され、且つ外に開口し
た折返しチャンバが含まれ、左右両側の前記折返しチャンバの中には駆動翻転板が翻転可
能に設置され、前後両側の前記折返しチャンバの中には従動翻転板が翻転可能に設置され
、前記駆動翻転板と前記従動翻転板のうち内側に近接している端面には一枚の漏洩防止網
が固定的に設置され、前記駆動翻転板と前記従動翻転板の上端には上封じ板が固定的に設
置され、左右両側の前記上封じ板の上端にはハンドルが固定的に設置され、
前記駆動翻転板を翻転すれば前記従動翻転板を連動させて同期的に翻転させることができ
、前記漏洩防止網は虫を収集できることを特徴とする防虫夜ライト。
【請求項２】
前記駆動翻転板の下端が前後に貫通しており、且つ前記駆動翻転板の下端には駆動軸が固
定的に設置され、前記従動翻転板の下端が左右に貫通しており、且つ前記従動翻転板の下
端には従動軸が固定的に設置され、前記台座の中の四角のところには傘歯車チャンバが環
状のように排列され、前記駆動軸の前後両端が前記傘歯車チャンバの中に伸びており、且
つ前記駆動軸の前後両端には駆動傘歯車が固定的に設置され、前記従動軸の左右両端が前
記傘歯車チャンバの中に伸びており、且つ前記従動軸の左右両端には前記駆動傘歯車と噛
み合う従動傘歯車が固定的に設置され、左右両側の前記折返しチャンバの後側にはプーリ
チャンバが設置され、前記駆動軸が前記プーリチャンバを通り抜けており、且つ前記駆動
軸には駆動プーリが固定的に設置され、前記駆動プーリの下側のうち中心に近接している
側には従動プーリが設置され、前記駆動プーリと前記従動プーリとの間には駆動ベルトが
周設され、前記従動プーリが前記除虫装置に連結され、
前記駆動翻転板が翻転しながら前記従動翻転板を翻転連動させ、同時に前記除虫装置を連
動させて始動することを特徴とする請求項１に記載の防虫夜ライト。
【請求項３】
前記除虫装置は前記台座の中に設置される昇降チャンバを含み、前記熱エネルギー転換器
の下端には動力軸が伝動可能に連結され、前記昇降チャンバの中には昇降板がスライド可
能に設置され、前記昇降板の中にはスプライン軸が上下に貫通して回転可能に設置され、
前記スプライン軸の中にはスプライン穴が上下に貫通して設置され、前記昇降チャンバの
前後左右四側が止め板チャンバに連通し、前記止め板チャンバの中には前記昇降板に固定
的に連結される止め板がスライド可能に設置され、前記止め板うち中心から離れている側
の端面の中にはラックが固定的に設置され、左右両側の前記止め板チャンバのうち中心か
ら離れている側には歯車チャンバが連通して設置され、前記歯車チャンバの中には前記ラ
ックと噛み合う平歯車が回転可能に設置され、前記平歯車の後端には伝動軸が固定的に連
結され、前記伝動軸の後端が前記従動プーリに固定的に連結され、
左右側の前記止め板が上昇して前記昇降板と前後側の前記止め板とを上昇連動させ、この
時前記動力軸は前記スプライン穴の中に伸びることができることを特徴とする請求項１に
記載の防虫夜ライト。
【請求項４】
前記昇降チャンバの下側には環状を呈する貯蔵チャンバが設置され、前記貯蔵チャンバの
下側にはファンチャンバが連通するように設置され、前記貯蔵チャンバと前記ファンチャ
ンバとの間には通気網が固定的に設置され、前記通気網には除虫剤が置かれており、前記
ファンチャンバの中にはファンが回転可能に設置され、前記ファンには上端が前記スプラ
イン穴の中に伸びている回転軸が固定的に設置され、前記ファンチャンバの下側内壁の前
後左右四端には通気チャンバが連通するように設置され、前記止め板の下端が前記通気チ
ャンバの中に伸びており、前記通気チャンバのうち中心から離れている側には前記折返し
チャンバに連通した落下チャンバが連通して設置され、前記落下チャンバの下側には収集
チャンバが連通して設置され、
除虫剤の匂いがする空気は前記通気チャンバと前記落下チャンバから外部に流れて虫を
殺し、死亡した虫が前記落下チャンバを通して前記収集チャンバの中に落下することを特
徴とする請求項３に記載の防虫夜ライト。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的には防虫夜ライトである。
【背景技術】
【０００２】
屋外で活動する時、光の照明が必要であるが、光に吸い寄せられて飛んでくる虫もあり、
不快感を起こし、照明にも影響を及ぼし；それに対して現有の防虫ライトには照明機能が
備わっておらず、そのため、虫を吸引して殺す同時に電球が生じる熱エネルギーを利用し
て殺された虫を回収して処分することに便利を与えられる防虫夜ライトは実に必要とされ
ている。
【先行技術文献】
【特許文献】
【０００３】
【特許文献１】中国特許出願公開第１０３７７８８７１号明細書
【発明の概要】
【発明が解決しようとする課題】
【０００４】
本発明の目的は防虫夜ライトを提供し、上記背景技術に提出される問題を解決する。
【課題を解決するための手段】
【０００５】
本発明の防虫夜ライトは、台座を含み、前記台座の上側には蓋装置が設置され、前記台座
の中には除虫装置が設置され、前記蓋装置を開けると同時に、照明灯をつければ前記除虫
装置を始動でき、前記照明灯が前記台座の上端面の中心に固定的に設置され、前記照明灯
の外側には透明なガラスカバーが設置され、前記ガラスカバーの中には加熱チャンバが設
置され、前記台座の上端面には前記加熱チャンバに連通した熱エネルギー転換器が固定的
に設置され、前記熱エネルギー転換器によって熱エネルギーを電気エネルギーに転換でき
、前記照明灯と前記ガラスカバーの外側には前記台座の上端面に固定された防虫カバーが
設置され、前記蓋装置には前記台座の上端面の前後左右の四端に設置され、且つ外に開口
した折返しチャンバが含まれ、左右両側の前記折返しチャンバの中には駆動翻転板が翻転
可能に設置され、前後両側の前記折返しチャンバの中には従動翻転板が翻転可能に設置さ
れ、前記駆動翻転板と前記従動翻転板のうち内側に近接している端面には一枚の漏洩防止
網が固定的に設置され、前記駆動翻転板と前記従動翻転板の上端には上封じ板が固定的に
設置され、左右両側の前記上封じ板の上端にはハンドルが固定的に設置され、
前記駆動翻転板を翻転すれば前記従動翻転板を連動させて同期的に翻転させることができ
、前記漏洩防止網は虫を収集できる。
【０００６】
更なる技術方案、前記駆動翻転板の下端が前後に貫通しており、且つ前記駆動翻転板の下
端には駆動軸が固定的に設置され、前記従動翻転板の下端が左右に貫通しており、且つ前
記従動翻転板の下端には従動軸が固定的に設置され、前記台座の中の四角のところには傘
歯車チャンバが環状のように排列され、前記駆動軸の前後両端が前記傘歯車チャンバの中
に伸びており、且つ前記駆動軸の前後両端には駆動傘歯車が固定的に設置され、前記従動
軸の左右両端が前記傘歯車チャンバの中に伸びており、且つ前記従動軸の左右両端には前
記駆動傘歯車と噛み合う従動傘歯車が固定的に設置され、左右両側の前記折返しチャンバ
の後側にはプーリチャンバが設置され、前記駆動軸が前記プーリチャンバを通り抜けてお
り、且つ前記駆動軸には駆動プーリが固定的に設置され、前記駆動プーリの下側のうち中
心に近接している側には従動プーリが設置され、前記駆動プーリと前記従動プーリとの間
には駆動ベルトが周設され、前記従動プーリが前記除虫装置に連結され、
前記駆動翻転板が翻転しながら前記従動翻転板を翻転連動させ、同時に前記除虫装置を連
動させて始動する。
【０００７】
更なる技術方案、前記除虫装置は前記台座の中に設置される昇降チャンバを含み、前記熱
エネルギー転換器の下端には動力軸が伝動可能に連結され、前記昇降チャンバの中には昇
降板がスライド可能に設置され、前記昇降板の中にはスプライン軸が上下に貫通して回転
可能に設置され、前記スプライン軸の中にはスプライン穴が上下に貫通して設置され、前
記昇降チャンバの前後左右四側が止め板チャンバに連通し、前記止め板チャンバの中には
前記昇降板に固定的に連結される止め板がスライド可能に設置され、前記止め板うち中心
から離れている側の端面の中にはラックが固定的に設置され、左右両側の前記止め板チャ
ンバのうち中心から離れている側には歯車チャンバが連通して設置され、前記歯車チャン
バの中には前記ラックと噛み合う平歯車が回転可能に設置され、前記平歯車の後端には伝
動軸が固定的に連結され、前記伝動軸の後端が前記従動プーリに固定的に連結され、
左右側の前記止め板が上昇して前記昇降板と前後側の前記止め板とを上昇連動させ、この
時前記動力軸は前記スプライン穴の中に伸びることができる；
【０００８】
前記昇降チャンバの下側には環状を呈する貯蔵チャンバが設置され、前記貯蔵チャンバの
下側にはファンチャンバが連通するように設置され、前記貯蔵チャンバと前記ファンチャ
ンバとの間には通気網が固定的に設置され、前記通気網には除虫剤が置かれており、前記
ファンチャンバの中にはファンが回転可能に設置され、前記ファンには上端が前記スプラ
イン穴の中に伸びている回転軸が固定的に設置され、前記ファンチャンバの下側内壁の前
後左右四端には通気チャンバが連通するように設置され、前記止め板の下端が前記通気チ
ャンバの中に伸びており、前記通気チャンバのうち中心から離れている側には前記折返し
チャンバに連通した落下チャンバが連通して設置され、前記落下チャンバの下側には収集
チャンバが連通して設置され、
除虫剤の匂いがする空気は前記通気チャンバと前記落下チャンバから外部に流れて虫を
殺し、死亡した虫が前記落下チャンバを通して前記収集チャンバの中に落下する。
【発明の効果】
【０００９】
本発明の有益効果は：本発明は構造が簡単で、操作が便利で、本装置は照明する同時に虫
を殺し、発光する時に生じた熱エネルギーを活かし、虫を収集でき、処理に便利を与える
。
【図面の簡単な説明】
【００１０】
本発明の実施例また既存の技術の中の技術方案をもっとはっきり説明するため、下記に実
施例また既存の技術の説明の中に使用する必要がある附図に簡単な紹介を行って、一目で
わかることは下記の説明の中の附図はただ本発明のいくつかの実施例で、本領域の普通技
術者にとって、創造的な労働を払わないことを前提に、これらの附図に基づいてそのほか
の附図を得ることができる。
【００１１】
【図１】図１は本発明の防虫夜ライトの内部全体構成模式図であり；
【図２】図２は本発明の図１におけるＡ―Ａ方向の構成図である；
【図３】図３は本発明の図１におけるＢ―Ｂ方向の構成図である；
【図４】図４は本発明の図１におけるＣ―Ｃ方向の構成図である。
【図５】図５は本発明の図１におけるＤの拡大略図である。
【発明を実施するための形態】
【００１２】
以下に図１−５を交えて本発明について詳しく説明し、便利に叙述するため、現在は後文
に出る方位を下記の通りに規定する：後文に出る上下左右前後方向は図１本体の投影関係
の上下左右前後方向と一致する。
【００１３】
図１−５を参照し、本発明の実施例における防虫夜ライトは：台座１１を含み、前記台座
１１の上側には蓋装置１０１が設置され、前記台座１１の中には除虫装置１０２が設置さ
れ、前記蓋装置１０１を開けると同時に、照明灯１２をつければ前記除虫装置１０２を始
動でき、前記照明灯１２が前記台座１１の上端面の中心に固定的に設置され、前記照明灯
１２の外側には透明なガラスカバー１３が設置され、前記ガラスカバー１３の中には加熱
チャンバ１４が設置され、前記台座１１の上端面には前記加熱チャンバ１４に連通した熱
エネルギー転換器１５が固定的に設置され、前記熱エネルギー転換器１５によって熱エネ
ルギーを電気エネルギーに転換でき、前記照明灯１２と前記ガラスカバー１３の外側には
前記台座１１の上端面に固定された防虫カバー１６が設置され、前記蓋装置１０１には前
記台座１１の上端面の前後左右の四端に設置され、且つ外に開口した折返しチャンバ１７
が含まれ、左右両側の前記折返しチャンバ１７の中には駆動翻転板１８が翻転可能に設置
され、前後両側の前記折返しチャンバ１７の中には従動翻転板１９が翻転可能に設置され
、前記駆動翻転板１８と前記従動翻転板１９のうち内側に近接している端面には一枚の漏
洩防止網２５が固定的に設置され、前記駆動翻転板１８と前記従動翻転板１９の上端には
上封じ板２６が固定的に設置され、左右両側の前記上封じ板２６の上端にはハンドル２７
が固定的に設置され、
前記駆動翻転板１８を翻転すれば前記従動翻転板１９を連動させて同期的に翻転させるこ
とができ、前記漏洩防止網２５は虫を収集できる。
【００１４】
有益的には、前記駆動翻転板１８の下端が前後に貫通しており、且つ前記駆動翻転板１８
の下端には駆動軸２０が固定的に設置され、前記従動翻転板１９の下端が左右に貫通して
おり、且つ前記従動翻転板１９の下端には従動軸２１が固定的に設置され、前記台座１１
の中の四角のところには傘歯車チャンバ２２が環状のように排列され、前記駆動軸２０の
前後両端が前記傘歯車チャンバ２２の中に伸びており、且つ前記駆動軸２０の前後両端に
は駆動傘歯車２３が固定的に設置され、前記従動軸２１の左右両端が前記傘歯車チャンバ
２２の中に伸びており、且つ前記従動軸２１の左右両端には前記駆動傘歯車２３と噛み合
う従動傘歯車２４が固定的に設置され、左右両側の前記折返しチャンバ１７の後側にはプ
ーリチャンバ２８が設置され、前記駆動軸２０が前記プーリチャンバ２８を通り抜けてお
り、且つ前記駆動軸２０には駆動プーリ２９が固定的に設置され、前記駆動プーリ２９の
下側のうち中心に近接している側には従動プーリ３０が設置され、前記駆動プーリ２９と
前記従動プーリ３０との間には駆動ベルト３１が周設され、前記従動プーリ３０が前記除
虫装置１０２に連結され、
前記駆動翻転板１８が翻転しながら前記従動翻転板１９を翻転連動させ、同時に前記除虫
装置１０２を連動させて始動する。
【００１５】
有益的には、前記除虫装置１０２は前記台座１１の中に設置される昇降チャンバ３２を含
み、前記熱エネルギー転換器１５の下端には動力軸３３が伝動可能に連結され、前記昇降
チャンバ３２の中には昇降板３４がスライド可能に設置され、前記昇降板３４の中にはス
プライン軸３５が上下に貫通して回転可能に設置され、前記スプライン軸３５の中にはス
プライン穴３６が上下に貫通して設置され、前記昇降チャンバ３２の前後左右四側が止め
板チャンバ３７に連通し、前記止め板チャンバ３７の中には前記昇降板３４に固定的に連
結される止め板３８がスライド可能に設置され、前記止め板３８うち中心から離れている
側の端面の中にはラック３９が固定的に設置され、左右両側の前記止め板チャンバ３７の
うち中心から離れている側には歯車チャンバ４０が連通して設置され、前記歯車チャンバ
４０の中には前記ラック３９と噛み合う平歯車４１が回転可能に設置され、前記平歯車４
１の後端には伝動軸４２が固定的に連結され、前記伝動軸４２の後端が前記従動プーリ３
０に固定的に連結され、
左右側の前記止め板３８が上昇して前記昇降板３４と前後側の前記止め板３８とを上昇連
動させ、この時前記動力軸３３は前記スプライン穴３６の中に伸びることができる。
【００１６】
有益的には、前記昇降チャンバ３２の下側には環状を呈する貯蔵チャンバ４３が設置され
、前記貯蔵チャンバ４３の下側にはファンチャンバ４５が連通するように設置され、前記
貯蔵チャンバ４３と前記ファンチャンバ４５との間には通気網４４が固定的に設置され、
前記通気網４４には除虫剤が置かれており、前記ファンチャンバ４５の中にはファン４６
が回転可能に設置され、前記ファン４６には上端が前記スプライン穴３６の中に伸びてい
る回転軸４７が固定的に設置され、前記ファンチャンバ４５の下側内壁の前後左右四端に
は通気チャンバ４８が連通するように設置され、前記止め板３８の下端が前記通気チャン
バ４８の中に伸びており、前記通気チャンバ４８のうち中心から離れている側には前記折
返しチャンバ１７に連通した落下チャンバ４９が連通して設置され、前記落下チャンバ４
９の下側には収集チャンバ５０が連通して設置され、
除虫剤の匂いがする空気は前記通気チャンバ４８と前記落下チャンバ４９から外部に流
れて虫を殺し、死亡した虫が前記落下チャンバ４９を通して前記収集チャンバ５０の中に
落下する。
【００１７】
初期状態の時、駆動翻転板１８と上封じ板２６が防虫カバー１６を封じ、昇降板３４が下
限位置にあり、動力軸３３がスプライン穴３６の中まで伸びておらず、止め板３８が通気
チャンバ４８を封じている。
【００１８】
照明また除虫する時、ハンドル２７を手で握って左右両側の上封じ板２６と駆動翻転板１
８を連動させて両側に翻転して水平状態にならせ、駆動軸２０が駆動プーリ２９と駆動傘
歯車２３とを回転連動させ、駆動傘歯車２３が歯車の噛合によって従動傘歯車２４を回転
連動させ、従動軸２１を通じて従動翻転板１９と前後側の上封じ板２６を連動させて外に
翻転させ、この時漏洩防止網２５が平らに広がり、駆動プーリ２９が駆動ベルト３１によ
って従動プーリ３０を回転連動させ、駆動軸４２によって平歯車４１を回転連動させ、歯
型の噛合によってラック３９を上昇連動させ、左右両側の止め板３８が昇降板３４と前後
両側の止め板３８とを上昇連動させて通気チャンバ４８を開け、この時動力軸３３がスプ
ライン軸３５とスプラインによって連結され、この時照明灯１２をつければ照明でき、生
じた熱エネルギーは加熱チャンバ１４の中の気体によって熱エネルギー転換器１５の中に
伝達されて運動エネルギーに転換して動力軸３３を回転連動させ、スプライン軸３５によ
って回転軸４７を回転連動させてファン４６を回転連動させ、貯蔵チャンバ４３の中の除
虫剤が生じた毒気体を吸出し、装置の周囲に取らして防虫カバー１６に吸い寄せられた虫
を殺し、死亡した虫が落下チャンバ４９を通して収集チャンバ５０又は漏洩防止網２５に
落下し、本装置を移す時、ハンドル２７によって装置を復帰させ、漏洩防止網２５に落下
した虫は収集チャンバ５０の中に落ちる。
【００１９】
本発明の有益効果は：本発明は構造が簡単で、操作が便利で、本装置は照明する同時に虫
を殺し、発光する時に生じた熱エネルギーを活かし、虫を収集でき、処理に便利を与える
。
【００２０】
本分野の技術者が明確できるのは、本発明の総体精神や発想から離脱しない場合で、以上
の実施例に各種な変形ができ、それらの変形がすべて本発明の保護範囲にある。本発明の
保護方案は本発明の権利要求書を標準とすべきである。